(57)【要約】【課題】  コンテンツ提供者およびコンテンツ販売媒体双方の収益を向上させ、さらにコンテンツ利用者の利便性を高める。【解決手段】  利用者端末３００のサンプル表示要求手段３０１からのサンプル表示要求が情報送受信手段３０２からネットワーク２００を経由して送信されると、コンテンツ提供システム１００の情報送受信手段１０３で受信され、サンプル作成手段１０２が情報記憶手段１０１に保持されているサンプル素材を、利用者による閲覧用に、加工する、あるいは、複数のサンプル素材を組み合わせ、サンプルを作成し、情報記憶手段１０１にサンプル作成の条件を格納し、サンプルを情報送受信手段１０３からネットワーク２００を経由して送信し、サンプル表示手段３０３で表示する。収益配分計算手段１０４は、サンプル作成の条件に基づいて、売り上げ収益の配分率を計算する。【選択図】      図１
2005063343.tif 000002
【特許請求の範囲】
【請求項１】
１以上のコンテンツ提供システムと、１以上の利用者端末と、前記コンテンツ提供システム、および、前記利用者端末を接続するネットワークとを備え、
前記コンテンツ提供システムが、内蔵する情報記憶手段から読み出したコンテンツのサンプル素材に基づいてサンプルを作成するか、あるいは、前記情報記憶手段からサンプルを読み出し、前記ネットワークを介してサンプルを前記利用者端末に送信し、サンプルの種別に基づいてコンテンツ提供者、前記コンテンツ提供システムの経営者、および、前記ネットワークの経営者に対する収益配分率を計算する手段を有することを特徴とするコンテンツ収益配分システム。
【請求項２】
前記利用者端末が、前記コンテンツ提供システムからのサンプルを受信し表示する手段を有することを特徴とする請求項１記載のコンテンツ収益配分システム。
【請求項３】
１以上のコンテンツ提供システムと、１以上の利用者端末と、前記コンテンツ提供システム、および、前記利用者端末を接続するネットワークとを備え、
前記コンテンツ提供システムが、内蔵する情報記憶手段から読み出したコンテンツのサンプル素材に基づいてサンプルを作成するか、あるいは、前記情報記憶手段からサンプルを読み出し、サンプル、サンプル作成の条件を前記情報記憶手段に格納し、前記ネットワークを介してサンプルを前記利用者端末に送信し、サンプルの種別、または、サンプル作成の時間帯、または、利用者の属性、または、サンプルを表示するホームページの種類に基づいてコンテンツ提供者、前記コンテンツ提供システムの経営者、および、前記ネットワークの経営者に対する収益配分率を計算する手段を有し、
前記利用者端末が、前記コンテンツ提供システムからのサンプルを受信し表示する手段を有することを特徴とするコンテンツ収益配分システム。
【請求項４】
前記コンテンツ提供システムが、時間帯により、作成するサンプルの種別を変える手段を有することを特徴とする請求項１、２、または、３記載のコンテンツ収益配分システム。
【請求項５】
前記コンテンツ提供システムが、各コンテンツの販売数に基づいてサンプルを作成する手段を有することを特徴とする請求項１、２、または、３記載のコンテンツ収益配分システム。
【請求項６】
コンテンツ提供システムが、内蔵する情報記憶手段から読み出したコンテンツのサンプル素材に基づいてサンプルを作成するか、あるいは、前記情報記憶手段からサンプルを読み出し、ネットワークを介してサンプルを利用者端末に送信するステップと、サンプルの種別に基づいてコンテンツ提供者、前記コンテンツ提供システムの経営者、および、前記ネットワークの経営者に対する収益配分率を計算するステップと、
を含むことを特徴とするコンテンツ収益配分方法。
【請求項７】
前記利用者端末が、コンテンツ提供システムからのサンプルを受信し表示するステップを含むことを特徴とする請求項６記載のコンテンツ収益配分方法。
【請求項８】
コンテンツ提供システムが、内蔵する情報記憶手段から読み出したコンテンツのサンプル素材に基づいてサンプルを作成するか、あるいは、前記情報記憶手段からサンプルを読み出すステップと、サンプル、サンプル作成の条件を前記情報記憶手段に格納するステップと、ネットワークを介してサンプルを利用者端末に送信するステップと、サンプルの種別、または、サンプル作成の時間帯、または、利用者の属性、または、サンプルを表示するホームページの種類に基づいてコンテンツ提供者、前記コンテンツ提供システムの経営者、および、前記ネットワークの経営者に対する収益配分率を計算するステップと、
前記利用者端末が、前記コンテンツ提供システムからのサンプルを受信し表示するステップと、
を含むことを特徴とするコンテンツ収益配分方法。
【請求項９】
前記コンテンツ提供システムが、時間帯により、作成するサンプルの種別を変えるステップを含むことを特徴とする請求項６、７、または、８記載のコンテンツ収益配分方法。
【請求項１０】
前記コンテンツ提供システムが、各コンテンツの販売数に基づいてサンプルを作成するステップを含むことを特徴とする請求項６、７、または、８記載のコンテンツ収益配分方法。
【請求項１１】
情報記憶手段から読み出したコンテンツのサンプル素材に基づいてサンプルを作成するか、あるいは、前記情報記憶手段からサンプルを読み出し、ネットワークを介してサンプルを利用者端末に送信するステップと、サンプルの種別に基づいてコンテンツ提供者、前記コンテンツ提供システムの経営者、および、前記ネットワークの経営者に対する収益配分率を計算するステップと、
をコンピュータに実行させることを特徴とするコンテンツ収益配分プログラム。
【請求項１２】
コンテンツ提供システムからのサンプルを受信し表示するステップをコンピュータに実行させることを特徴とする請求項１１記載のコンテンツ収益配分プログラム。
【請求項１３】
情報記憶手段から読み出したコンテンツのサンプル素材に基づいてサンプルを作成するか、あるいは、前記情報記憶手段からサンプルを読み出すステップと、サンプル、サンプル作成の条件を前記情報記憶手段に格納するステップと、ネットワークを介してサンプルを利用者端末に送信するステップと、サンプルの種別、または、サンプル作成の時間帯、または、利用者の属性、または、サンプルを表示するホームページの種類に基づいてコンテンツ提供者、前記コンテンツ提供システムの経営者、および、前記ネットワークの経営者に対する収益配分率を計算するステップと、
前記利用者端末が、前記コンテンツ提供システムからのサンプルを受信し表示するステップと、
を含むことを特徴とするコンテンツ収益配分プログラム。
【請求項１４】
時間帯により、作成するサンプルの種別を変えるステップをコンピュータに実行させることを特徴とする請求項１１、１２、または、１３記載のコンテンツ収益配分プログラム。
【請求項１５】
各コンテンツの販売数に基づいてサンプルを作成するステップをコンピュータに実行させることを特徴とする請求項１１、１２、または、１３記載のコンテンツ収益配分プログラム。
【発明の詳細な説明】
【技術分野】
【０００１】
本発明は、コンテンツ収益配分システム、コンテンツ収益配分方法、および、コンテンツ収益配分プログラムに関し、特に、サンプル作成時の条件を考慮するコンテンツ収益配分システム、コンテンツ収益配分方法、および、コンテンツ収益配分プログラムに関する。
【背景技術】
【０００２】
コンテンツ提供者が権利を保持する、あるいは、作成したコンテンツをコンテンツ提供者以外の事業者が運営する媒体（インターネット等のネットワークシステム）上で販売する場合、あらかじめ定めた配分率に応じてコンテンツ販売による収益を配分する技術がある。
【０００３】
たとえば、特許文献１記載の技術は、コンテンツの売り上げ配分の技術であって、配信情報の配分数と売上額を集計記録し、配信情報の売り上げの配分を受ける権利者ごとの配分率に応じた配分額を算出して一覧表を作成する技術である。
【０００４】
【特許文献１】特開２００２−１５０１６１号公報
【発明の開示】
【発明が解決しようとする課題】
【０００５】
特許文献１記載の技術の収益配分モデルによると、その収益配分率はサンプルを表示する時間帯や閲覧する利用者に応じて変動することはなく、そのため、コンテンツを販売する媒体の利用が効率的ではない。
【０００６】
本発明の目的は、サンプルの表示形態によって収益配分率を変動させることで、コンテンツ提供者およびコンテンツ販売媒体双方の収益を向上させ、さらにコンテンツ利用者の利便性を高めることである。
【課題を解決するための手段】
【０００７】
本発明の第１のコンテンツ収益配分システムは、１以上のコンテンツ提供システムと、１以上の利用者端末と、前記コンテンツ提供システム、および、前記利用者端末を接続するネットワークとを備え、前記コンテンツ提供システムが、内蔵する情報記憶手段から読み出したコンテンツのサンプル素材に基づいてサンプルを作成するか、あるいは、前記情報記憶手段からサンプルを読み出し、前記ネットワークを介してサンプルを前記利用者端末に送信し、サンプルの種別に基づいてコンテンツ提供者、前記コンテンツ提供システムの経営者、および、前記ネットワークの経営者に対する収益配分率を計算する手段を有することを特徴とする。
【０００８】
本発明の第２のコンテンツ収益配分システムは、前記第１のコンテンツ収益配分システムであって、前記利用者端末が、前記コンテンツ提供システムからのサンプルを受信し表示する手段を有することを特徴とする。
【０００９】
本発明の第３のコンテンツ収益配分システムは、１以上のコンテンツ提供システムと、１以上の利用者端末と、前記コンテンツ提供システム、および、前記利用者端末を接続するネットワークとを備え、前記コンテンツ提供システムが、内蔵する情報記憶手段から読み出したコンテンツのサンプル素材に基づいてサンプルを作成するか、あるいは、前記情報記憶手段からサンプルを読み出し、サンプル、サンプル作成の条件を前記情報記憶手段に格納し、前記ネットワークを介してサンプルを前記利用者端末に送信し、サンプルの種別、または、サンプル作成の時間帯、または、利用者の属性、または、サンプルを表示するホームページの種類に基づいてコンテンツ提供者、前記コンテンツ提供システムの経営者、および、前記ネットワークの経営者に対する収益配分率を計算する手段を有し、前記利用者端末が、前記コンテンツ提供システムからのサンプルを受信し表示する手段を有することを特徴とする。
【００１０】
本発明の第４のコンテンツ収益配分システムは、前記第１、第２、または、第３のコンテンツ収益配分システムであって、前記コンテンツ提供システムが、時間帯により、作成するサンプルの種別を変える手段を有することを特徴とする。
【００１１】
本発明の第５のコンテンツ収益配分システムは、前記第１、第２、または、第３のコンテンツ収益配分システムであって、前記コンテンツ提供システムが、各コンテンツの販売数に基づいてサンプルを作成する手段を有することを特徴とする。
【００１２】
本発明の第１のコンテンツ収益配分方法は、コンテンツ提供システムが、内蔵する情報記憶手段から読み出したコンテンツのサンプル素材に基づいてサンプルを作成するか、あるいは、前記情報記憶手段からサンプルを読み出し、ネットワークを介してサンプルを利用者端末に送信するステップと、サンプルの種別に基づいてコンテンツ提供者、前記コンテンツ提供システムの経営者、および、前記ネットワークの経営者に対する収益配分率を計算するステップと、を含むことを特徴とする。
【００１３】
本発明の第２のコンテンツ収益配分方法は、前記第１のコンテンツ収益配分方法であって、前記利用者端末が、コンテンツ提供システムからのサンプルを受信し表示するステップを含むことを特徴とする。
【００１４】
本発明の第３のコンテンツ収益配分方法は、コンテンツ提供システムが、内蔵する情報記憶手段から読み出したコンテンツのサンプル素材に基づいてサンプルを作成するか、あるいは、前記情報記憶手段からサンプルを読み出すステップと、サンプル、サンプル作成の条件を前記情報記憶手段に格納するステップと、ネットワークを介してサンプルを利用者端末に送信するステップと、サンプルの種別、または、サンプル作成の時間帯、または、利用者の属性、または、サンプルを表示するホームページの種類に基づいてコンテンツ提供者、前記コンテンツ提供システムの経営者、および、前記ネットワークの経営者に対する収益配分率を計算するステップと、前記利用者端末が、前記コンテンツ提供システムからのサンプルを受信し表示するステップと、を含むことを特徴とする。
【００１５】
本発明の第４のコンテンツ収益配分方法は、前記第１、第２、または、第３のコンテンツ収益配分方法であって、前記コンテンツ提供システムが、時間帯により、作成するサンプルの種別を変えるステップを含むことを特徴とする。
【００１６】
本発明の第５のコンテンツ収益配分方法は、前記第１、第２、または、第３のコンテンツ収益配分方法であって、前記コンテンツ提供システムが、各コンテンツの販売数に基づいてサンプルを作成するステップを含むことを特徴とする。
【００１７】
本発明の第１のコンテンツ収益配分プログラムは、情報記憶手段から読み出したコンテンツのサンプル素材に基づいてサンプルを作成するか、あるいは、前記情報記憶手段からサンプルを読み出し、ネットワークを介してサンプルを利用者端末に送信するステップと、サンプルの種別に基づいてコンテンツ提供者、前記コンテンツ提供システムの経営者、および、前記ネットワークの経営者に対する収益配分率を計算するステップと、をコンピュータに実行させることを特徴とする。
【００１８】
本発明の第２のコンテンツ収益配分プログラムは、前記第１のコンテンツ収益配分プログラムであって、コンテンツ提供システムからのサンプルを受信し表示するステップをコンピュータに実行させることを特徴とする。
【００１９】
本発明の第３のコンテンツ収益配分プログラムは、情報記憶手段から読み出したコンテンツのサンプル素材に基づいてサンプルを作成するか、あるいは、前記情報記憶手段からサンプルを読み出すステップと、サンプル、サンプル作成の条件を前記情報記憶手段に格納するステップと、ネットワークを介してサンプルを利用者端末に送信するステップと、サンプルの種別、または、サンプル作成の時間帯、または、利用者の属性、または、サンプルを表示するホームページの種類に基づいてコンテンツ提供者、前記コンテンツ提供システムの経営者、および、前記ネットワークの経営者に対する収益配分率を計算するステップと、前記利用者端末が、前記コンテンツ提供システムからのサンプルを受信し表示するステップと、を含むことを特徴とする。
【００２０】
本発明の第４のコンテンツ収益配分プログラムは、前記第１、第２、または、第３のコンテンツ収益配分プログラムであって、時間帯により、作成するサンプルの種別を変えるステップをコンピュータに実行させることを特徴とする。
【００２１】
本発明の第５のコンテンツ収益配分プログラムは、前記第１、第２、または、第３のコンテンツ収益配分プログラムであって、各コンテンツの販売数に基づいてサンプルを作成するステップをコンピュータに実行させることを特徴とする。
【発明の効果】
【００２２】
第１の効果は、コンテンツ提供者、および、コンテンツ提供システムの経営者、および、ネットワークの経営者の収益の配分が柔軟になることである。
【００２３】
その理由は、販売効率に差があると考えられる時間帯別、利用者別、ホームページ別、順序別などのサンプル表示形態によって配分率を変動させて、経済的な合理性を実現するからである。
【００２４】
第２の効果は、コンテンツの利用および購入の利便性が高まり、顧客満足度が向上することである。
【００２５】
その理由は、販売効率が向上するようなサンプルの表示形態を促進することで、コンテンツ利用者にとっても、購入したいコンテンツへの接触機会が増えるからである。
【発明を実施するための最良の形態】
【００２６】
次に、本発明を実施するための第１の最良の形態について図面を参照して詳細に説明する。
【００２７】
図１は、本発明の第１の最良の形態の構成を示すブロック図である。
【００２８】
図１を参照すると、本発明の第１の最良の形態は、１以上のコンテンツ提供システム１００（コンピュータシステム等）と、１以上の利用者端末３００（コンピュータ等）と、コンテンツ提供システム１００、および、利用者端末３００を接続するネットワーク２００（インターネット網、専用回線、または、無線通信回線等）とから構成される。
【００２９】
コンテンツ提供システム１００は、販売されるコンテンツのサンプル素材を格納する情報記憶手段１０１と、複数のサンプル素材を利用者が閲覧する形態に加工あるいは組み合わせてサンプルを作成するサンプル作成手段１０２と、利用者端末３００からサンプル表示要求を受け取り、サンプルを利用者端末３００に配信する情報送受信手段１０３と、収益配分計算手段１０４とを備える。また、利用者端末３００は、サンプルの表示要求を生成するサンプル表示要求手段３０１と、サンプルの表示要求を送信し、サンプルを受け取る情報送受信手段３０２と、受け取ったサンプルを表示するサンプル表示手段３０３とを備える。
【００３０】
ここで、サンプルは、利用者がコンテンツ購入の際に閲覧するために作成されるものであり、テキスト、静止画像、映像、音声などにより構成される。また、コンテンツとサンプルの種類は必ずしも同じである必要はない。たとえば、映像コンテンツのサンプルとして、静止画像やテキストを組み合わせたものを作成する場合などがある。利用者は、サンプルを閲覧してから、対応するコンテンツを購入する行動をとる。コンテンツの購入は、たとえば、コンテンツ提供システム１００の情報記憶手段１０１にコンテンツを格納しておき、利用者端末３００からネットワーク２００を介して購入することが可能である。
【００３１】
情報記憶手段１０１は、磁気ディスク装置、または、メモリ等の情報記憶装置から成り、テキスト、静止画像、映像（動画像）、音声などで構成されサンプル素材（コンテンツのための）を保存する。サンプル素材は、コンテンツの販売を行うコンテンツ提供者等により事前に情報記憶手段１０１に保存される。コンテンツ提供者が、ネットワーク２００を経由して、コンテンツ提供者の端末（図示せず）から、コンテンツ提供システム１００の情報記憶手段１０１にサンプル素材を格納することも可能である。
【００３２】
サンプル作成手段１０２は、ワークステーション・サーバ、または、パーソナルコンピュータ等の情報処理装置であり、情報記憶手段１０１に保存されているサンプル素材を、利用者による閲覧用に、加工する、あるいは、複数のサンプル素材を組み合わせる機能を備える。加工するとは、たとえば、テキスト、画像、映像、または、音声の一部を適切な大きさに切り出したり、解像度を変更したり、あるいは、一部の時間で切り出したりすることである。また、組み合わせるとは、複数のテキストや画像、映像、音声などのサンプル素材の一部または全部を合成したり、つなげたりして、一つのサンプルとして構成し直すことである。サンプルは、利用者端末３００からのリクエストを受けて、あらかじめ情報記憶手段１０１に保存された手順に従って、サンプル作成手段１０２で作成されるか、事前に、コンテンツ提供者、あるいは、コンテンツ提供システム１００の経営者によって作成され、情報記憶手段１０１に保存される。
【００３３】
情報送受信手段１０３は、ワークステーション・サーバ、または、パーソナルコンピュータ等の情報処理装置であり、情報記憶手段１０１に保存されたサンプルや、サンプル作成手段１０２により作成されたサンプルを、ネットワーク２００を経由して利用者端末３００へ送信する機能を持つ。
【００３４】
収益配分計算手段１０４は、ワークステーション・サーバ、または、パーソナルコンピュータ等の情報処理装置であり、サンプルを利用者が閲覧する際の条件、または、サンプルの作成の条件により、媒体提供側とコンテンツ提供者との間で設定される収益配分率を計算する。
【００３５】
サンプル作成手段１０２、情報配信手段１０３、および、収益配分計算手段１０４が、すべて、１台のワークステーション・サーバ、または、１台のパーソナルコンピュータ等に含まれていれもよい。また、サンプル作成手段１０２、情報配信手段１０３、および、収益配分計算手段１０４の任意の２つが、１台のワークステーション・サーバ、または、１台のパーソナルコンピュータ等に含まれていてもよい。
【００３６】
サンプル表示要求手段３０１は、サンプル表示要求を生成し、情報送受信手段３０２は、ネットワーク２００を経由して送られてきたサンプルを受信する。サンプル表示要求手段３０１、および、情報送受信手段３０２は、１台のワークステーション・サーバやパーソナルコンピュータ、携帯端末、テレビ、その他の情報家電などの情報処理装置に含まれてよい。
【００３７】
サンプル表示手段３０３は、パーソナルコンピュータ、携帯端末、テレビ、その他の情報家電などに接続されるディスプレイ装置から成り、情報送受信手段３０２により受信されたサンプルを表示する。
【００３８】
次に、本発明の第１の最良の形態の動作について図面を参照して説明する。
【００３９】
図２は、本発明の第１の最良の形態の動作を示すフローチャートである。
【００４０】
図２を参照すると、まず、利用者の操作により、利用者端末３００のサンプル表示要求手段３０１が、サンプル表示要求を生成し（たとえば、コンテンツ提供システム１００のＵＲＬを生成する）（図２ステップＳ１）、情報送受信手段３０２に出力する。ここで、サンプル表示要求には、利用者を特定するための利用者ＩＤ等が含まれる。
【００４１】
次に、情報送受信手段３０２は、ネットワーク２００を経由して、コンテンツ提供システム１００にサンプル表示要求を送信する（ステップＳ２）。
【００４２】
コンテンツ提供システム１００の情報送受信手段１０３は、ネットワーク２００を経由して、利用者端末３００からのサンプル表示要求を受信すると（ステップＳ３）、サンプル表示要求をサンプル作成手段１０２に出力する。
【００４３】
次に、サンプル作成手段１０２は、情報記憶手段１０１に事前に保存されているサンプル素材を加工あるいは組み合わせてある方式でサンプルを作成し（ステップＳ４）、情報送受信手段１０３に出力する。この際、たとえば、方式としては、時間帯ごとに異なる加工しサンプルを作成する、あるいは、サンプル素材の異なる組み合わせでサンプルを作成する、あるいは、利用者の属性ごとに異なるサンプルを作成する等がある。サンプル作成手段１０２は、事前にサンプルを作成しておいて情報記憶手段１０１に格納しておき、読み出して情報送受信手段１０３に出力してもよい。また、サンプル作成手段１０２は、サンプル、サンプル作成の条件（利用者ＩＤ、サンプル作成の方式、時刻、利用者の属性等）を情報記憶手段１０１に格納する（ステップＳ５）。
【００４４】
次に、情報送受信手段１０３は、サンプル作成手段１０２からのサンプルを、ネットワーク２００を経由して、利用者端末３００に送信する（ステップＳ６）。
【００４５】
次に、利用者端末３００の情報送受信手段３０２は、ネットワーク２００を経由して、コンテンツ提供システム１００からのサンプルを受信すると（ステップＳ７）、サンプル表示手段３０３に出力する。次に、サンプル表示手段３０３は、情報送受信手段３０２からのサンプルを表示する（ステップＳ８）。
【００４６】
利用者によりサンプル表示手段３０３で閲覧されるサンプルは、サンプル作成手段１０２で作成されたサンプルであるので、たとえば、閲覧する時間帯によって異なるサンプル（時間帯別に異なるサンプルを作成した場合）、または、閲覧する人によって異なるサンプル（利用者の属性（利用者ＩＤに対応する属性）ごとにサンプルを作成した場合。購入回数等を購入ごとに情報記憶手段１０１に格納する）である。
【００４７】
また、単位時間あたりの販売効率によって、利用者端末３００に表示させるサンプルを変更させることも可能である。
【００４８】
図３は、サンプル作成の詳細の１例を示すフローチャートである。
【００４９】
販売効率は、単位時間あたりの利用者による購入数などを指標とする。たとえば、サンプル作成手段１０２は、あらかじめ情報記憶手段１０１に保存された「サンプルの表示スケジュール」にしたがって、サンプルを作成（または、事前に作成されたサンプルを選択）し（図３ステップＡ１）、利用者端末３００からのサンプル表示要求により情報送受信手段１０３、ネットワーク２００を経由して利用者端末３００に送信する（ステップＡ２）。サンプル作成手段１０２は、各サンプルに対応するコンテンツの販売数（たとえば、利用者端末３００からのコンテンツ購入要求の数をサンプルごとに）を情報記憶手段１０１に格納する（ステップＡ３）。
【００５０】
次に、サンプル作成手段１０２は、以降、各コンテンツの販売数に基づいて、販売効率の良いサンプルを優先的に表示するよう、サンプルを作成する（ステップＡ４）。販売効率の良いサンプルを優先的に表示するとは、たとえば、サンプルを順番に表示する場合は、最初に表示して、利用者がそのサンプルを閲覧する頻度を増す、または、複数の場所にサンプルを表示する場合は、そのうち、最も目立つ場所に販売効率の良いサンプルを表示させるよう、サンプルを作成することをいう。
【００５１】
利用者端末３００のサンプル表示手段３０３にサンプルを表示することで、コンテンツ提供者は、コンテンツの販売促進の効果を得ることができる。また、サンプルを作成、表示させるコンテンツ提供システム１００の経営者、ネットワーク２００の経営者等は、対価として、コンテンツ提供者との間で設定されたコンテンツ収益配分率に従って、コンテンツの売り上げを配分される。
【００５２】
コンテンツの売り上げを配分する際に、コンテンツ提供システム１００の収益配分計算手段１０４は、サンプル作成手段１０２により情報記憶手段１０１に格納されたサンプル作成の条件を読み出し、サンプルごとのコンテンツ提供者、コンテンツ提供システム１００の経営者、ネットワーク２００の経営者へのコンテンツ収益配分率を計算する。
【００５３】
図４は、時間帯別にサンプルを表示する方式の内容を示す説明図である。
【００５４】
図４を参照すると、時間帯別にサンプルを表示する方式の場合、７：００≦時刻＜１２：００までに作成されるサンプルＡ、１２：００≦時刻＜１８：００までに作成されるサンプルＢ、１８：００≦時刻＜２２：００までに作成されるサンプルＣに区分される。ここで、時刻は、サンプル作成手段１０２が内蔵する時計等により決定される。
【００５５】
サンプルＡでは、コンテンツ提供者の配分率＝７０［％］、コンテンツ提供システム１００の経営者の配分率＝２０［％］、ネットワーク２００の経営者の配分率＝１０［％］である。サンプルＢでは、コンテンツ提供者の配分率＝７０［％］、コンテンツ提供システム１００の経営者の配分率＝１５［％］、ネットワーク２００の経営者の配分率＝１５［％］である。サンプルＣでは、コンテンツ提供者の配分率＝５０［％］、コンテンツ提供システム１００の経営者の配分率＝３０［％］、ネットワーク２００の経営者の配分率＝２０［％］である。ネットワーク２００の利用者が多い１８：００〜２２：００の時間帯向けに作成されたサンプルは、他の時間帯に表示するサンプルのものと比べて、販売促進効果が高いと考えられるため、他の時間帯に比べて、コンテンツ提供システム１００、および、ネットワーク２００の経営者が受け取る収益が多くなるように配分率が設定される。
【００５６】
また、コンテンツをより多く購入すると想定される利用者、あるいは、購入率が高い利用者などへより多く表示されるサンプルは、コンテンツ提供システム１００の経営者が受け取る収益が多くなるように配分率が設定されてもよい。
【００５７】
詳細な配分率の設定は、たとえば、以下のような種々の方式が可能である。
【００５８】
（１）図４のように、サンプルを表示させる時間帯に応じて、配分率に差をつける。たとえば、利用者数が多い時間帯や、コンテンツの購入率が高いと想定される時間帯にサンプルを表示する場合は、ネットワーク２００の経営者の取り分を増やすような配分率にする等。
【００５９】
（２）利用者別に配分率を設定する利用者を特定して、あるいは、属性に応じて、表示するサンプルを変更できる場合、コンテンツの購入率が高い利用者、あるいは、利用者層に表示するものは、その他のものに比べて、コンテンツ提供システム１００の経営者の取り分を増やすような配分率とする。収益配分計算手段１０４は、情報記憶手段１０１に格納されているサンプル作成の条件（利用者ＩＤ、サンプル作成の方式、時刻、利用者の属性等）から配分率を計算する。
【００６０】
（３）サンプルを表示するホームページの作りによって、コンテンツの購入率に差が生じることが予想される場合、表示するホームページによって、配分率を変化させる。ホームページは、コンテンツ提供システム１００により複数種ネットワーク２００上に公開され、サンプル作成手段１０２がホームページの識別情報をサンプル作成の条件に含める。
【００６１】
（４）１利用者が閲覧するサンプルの順序に応じて配分率を設定する複数のサンプル素材を時系列に組み合わせて表示するようなサンプルを作成する場合、表示させる順序に応じて配分率を変化させる。たとえば、最初に表示するものは、２番目に表示するものに比べて、コンテンツ提供システム１００の経営者の取り分を増やすなど。収益配分計算手段１０４が、利用者ＩＤごとに、サンプル作成の条件を整理する。
【００６２】
（５）単位時間あたりの購入率により配分率を設定するサンプルを表示している場合、コンテンツの購入率に応じた配分率を設定する。たとえば、１時間に５［％］の購入率を見込むサンプルの場合、１時間に１０［％］の購入率が見込めるサンプルに比べて、コンテンツ提供システム１００の経営者の取り分を増やすなど。
【００６３】
次に、本発明の第２の最良の形態について図面を参照して説明する。
【００６４】
本発明の第２の最良の形態は、図２、または、図３の各ステップを含む方法である。
【００６５】
次に、本発明の第３の最良の形態について図面を参照して説明する。
【００６６】
本発明の第３の最良の形態は、図２、または、図３の各ステップをコンピュータ（コンテンツ提供システム１００、利用者端末３００）に実行させるプログラムである。
【図面の簡単な説明】
【００６７】
【図１】本発明の第１の最良の形態の構成を示すブロック図である。
【図２】本発明の第１の最良の形態の動作を示すフローチャートである。
【図３】サンプル作成の詳細の１例を示すフローチャートである。
【図４】時間帯別にサンプルを表示する方式の内容を示す説明図である。
【符号の説明】
【００６８】
１００    コンテンツ提供システム
１０１    情報記憶手段
１０２    サンプル作成手段
１０３    情報送受信手段
１０４    収益配分計算手段
２００    ネットワーク
３００    利用者端末
３０１    サンプル表示要求手段
３０２    情報送受信手段
３０３    サンプル表示手段
【図１】
2005063343.tif 000003
【図２】
2005063343.tif 000004
【図３】
2005063343.tif 000005
【図４】
2005063343.tif 000006